Podtech/llm-jp-corpus-v4-ja_patent huggingface dataset:
(57)【要約】【課題】建物の戸や窓が閉まった状態でも、犬猫がトイレハウスを利用でき、臭いも屋内にこもりにくい屋外の犬猫用トイレハウスを提供する。【解決手段】建物１の壁３には、犬猫が通れ人間は通れない大きさを有する四角形の貫通孔５が開け、屋外から通路７が接続する。この通路７に、トイレハウス９が連通する。このトイレハウス９は、ベランダ１１や庭などの屋外に設置され、略密閉空間を有する箱状をなし、側面には内部を掃除するための掃除用の扉１３が設けられる。トイレハウス９内部にはトイレ用の砂が置かれ、通路７内には、砂が乗り越えて屋内に侵入しないように、犬猫が乗り越えられる高さの砂止バリケード１９を、通路７を横切って設けている。【選択図】図1
2005130752.tif 000002
【特許請求の範囲】
【請求項１】
建物の側面を形成する部材に開けられた貫通孔に屋外から接続し犬猫が通れ人間は通れない大きさの通路と、この通路に連通し屋外に設置され、少なくとも屋根を有するトイレハウスと、を有することを特徴とする犬猫用トイレハウス。
【請求項２】
前記トイレハウスは略密閉空間を有し、内部にはトイレ用の砂が置かれ、前記通路内には、建物の屋内に前記砂が侵入しないように、犬猫が乗り越えられる高さの砂止バリケードを前記通路を横切って設けていることを特徴とする請求項１に記載の犬猫用トイレハウス。
【発明の詳細な説明】
【技術分野】
【０００１】
この発明は、この発明は、犬や猫が用を足すトイレハウスの構造に関する。
【背景技術】
【０００２】
従来の例えば猫用トイレハウスは、排泄物を処理するための砂が入り猫が入ることができる大きさを備えた容器である。この容器には、開閉できるカバーもついている。
また、そのようなトイレハウスの臭いを屋外に排出するために、排気チューブが屋内外をつなぐものが下記の特許文献１に記載される。
【特許文献１】特開２００２−１４２６００
【発明の開示】
【発明が解決しようとする課題】
【０００３】
しかしながら、以上の技術によれば、猫用トイレハウスを屋外に設置すると、夜間など建物の戸や窓が閉まった状態で、室内にいる猫がトイレハウスを利用することができなかった。
また、猫用トイレハウスを屋内に設置すると、屋内の場所を占有し、更に臭いも屋内にこもりやすいものであった。
このような課題は、猫に限らず室内で飼う室内犬についてもどうように存在する。
そこで、この発明は、建物の戸や窓が閉まった状態でも、犬猫がトイレハウスを利用でき、臭いも屋内にこもりにくい屋外の犬猫用トイレハウスを提供することを目的とする。
【課題を解決するための手段】
【０００４】
以上の課題を解決するために、第一発明は、建物の側面を形成する部材に開けられた貫通孔に屋外から接続し犬猫が通れ人間は通れない大きさの通路と、この通路に連通し屋外に設置され、少なくとも屋根を有するトイレハウスと、を有することを特徴とする犬猫用トイレハウスである。
【０００５】
第二発明は、更に、前記トイレハウスは略密閉空間を有し、内部にはトイレ用の砂が置かれ、前記通路内には、建物の屋内に前記砂が侵入しないように、犬猫が乗り越えられる高さの砂止バリケードを前記通路を横切って設けていることを特徴とする犬猫用トイレハウスである。
【発明の効果】
【０００６】
第一発明、または第二発明によれば、夜間など建物の戸や窓が閉まった状態でも、室内にいる犬猫が通路を通って、屋外に設置されたトイレハウスを利用できる。また、トイレハウスを屋外に設置するので、屋内の場所を占有することなく、臭いも屋内にこもりにくい。
【０００７】
更に、通路は人間が通れない大きさなので防犯にも問題はない。トイレハウスには少なくとも屋根を有するので、雨からトイレハウス内部を守ることができる。
また、猫に限らず室内犬にも使用できる。
第二発明によれば、更に、トイレハウスは略密閉空間を有するので、雨からトイレハウス内部及び砂を守ることができる。また、犬猫が乗り越えられる高さの砂止バリケードを前記通路を横切って設けているので、建物の屋内に砂が侵入しにくいようにできる。
【発明を実施するための最良の形態】
【０００８】
この発明の実施形態を、図１乃至図３に示す。
建物１の側面を形成する部材である壁３には、四角形の貫通孔５が開けられる。この貫通孔５の大きさは、犬猫が通れ人間は通れない大きさとする。この貫通孔５に屋外から接続する通路７は、貫通孔５と同じ形状の断面形状を有する。この通路７の前記接続の端部とは反対側の端部に、トイレハウス９が連通する。このトイレハウス９は、足１０を有しベランダ１１や庭などの屋外に設置される。トイレハウス９は、略密閉空間を有する箱状をなし、側面には内部を掃除するための掃除用の扉１３が設けられる。箱状の側面の上方には換気用孔１４が開けられ、内部の臭いを逃がすことができる。箱状の上面は屋根１５の働きを有する。
【０００９】
トイレハウス９内部の床面１７にはトイレ用の砂が置かれ、通路７内には、砂が乗り越えて屋内に侵入しないように、犬猫が乗り越えられる高さの砂止バリケード１９を、通路７を横切って設けている。この高さ寸法は、例えば、犬猫の脚の長さの0.5倍である。
【００１０】
「他の実施形態」
図１の実施形態では、通路７には砂止バリケード１９が設けられるものであったが、他の実施形態では、通路７をトイレハウス９の側壁の高い位置に連通すれば、犬猫が砂が置かれたトイレハウス９の床面１７から高い通路７へジャンプする際に、犬猫の足から砂が落下することが期待でき、砂止バリケード１９は必ずしも不要となる。
【００１１】
図１の実施形態では、通路７には砂止バリケード１９が設けられるものであったが、他の実施形態では、通路７や貫通孔５の一部に犬猫が体で押して通ることができる扉１３やカーテンを設けるものとしてもよい。扉１３やカーテンにより臭いが通路７を通って屋内に侵入するのを抑止できる。
【００１２】
図１の実施形態では、トイレハウス９は略密閉空間を有する箱状をなすものであったが、他の実施形態では箱状ではなく、側壁が少ない開放空間を有するものの屋根１５を有する構造のトイレハウス９でもよい。
図１の実施形態では、貫通孔５は、建物１の壁３に開けられたが、他の実施形態では、アルミサッシ式の戸２１に専用のガラスのスペーサ２３を設け、このスペーサ２３の下方に開けてもよい。
図１の実施形態では、通路７は四角形の断面形状を有するものであったが、他の実施形態では断面形状は他の形状でもかまわない。例えば円形でも良い。
【図面の簡単な説明】
【００１３】
【図１】この発明の犬猫用トイレハウスの実施形態を示し、屋外で側方から見た概略全体斜視図である。
【図２】図１の猫用トイレハウスの実施形態の通路を屋内から見た斜視図である。
【図３】この発明の犬猫用トイレハウスの他の実施形態を示し、通路をサッシに取り付けた状態を屋内から見た場合の斜視図である。
【符号の説明】
【００１４】
１…建物、３…壁、５…貫通孔、７…通路、９…トイレハウス、１１…ベランダ、１３…扉、１５…屋根、１７…床面、１９…砂止バリケード、２１…戸、２３…スペーサ。
【図１】
2005130752.tif 000003
【図２】
2005130752.tif 000004
【図３】
2005130752.tif 000005
(57)【要約】【課題】本発明は、電流値が大きくても品質向上と現場での作業性の向上及び製造コスト削減を図ることのできる分電盤の充電部構造を提供することを目的としている。【解決手段】本発明に係る分電盤１の充電部構造は、主幹銅バーと、主幹銅バーから分岐ブレーカへ接続するための分岐バーとを薄板にて一体成形すると共に、薄板で形成された銅バー３に厚板で形成された銅バー４を並列接続し、電流値が大きくなっても電流密度を補えることを特徴とする。【選択図】図２
2005341662.tif 000002
【特許請求の範囲】
【請求項１】
回路遮断器等の各種電気機器を接続する銅バーから成る分電盤の充電部構造であって、主幹銅バーと、該主幹銅バーから分岐ブレーカへ接続するための分岐バーとを薄板にて一体成形すると共に、薄板で形成された銅バーに厚板で形成された銅バーを並列接続し、電流値が大きくなっても電流密度を補えることを特徴とする分電盤の充電部構造である。
【発明の詳細な説明】
【技術分野】
【０００１】
本発明は、回路遮断器等の各種電気機器を接続する銅バーから成る分電盤の充電部構造に関するものである。
【背景技術】
【０００２】
従来、分電盤の充電部構造は、電流が２５０Ａまでの分電盤では、主幹バーと分岐銅バーとが一体成形されている。分電盤の製作及び設置作業に伴う増し締め点数が削減され、作業性と安全性とを向上させている。また、主幹バーと分岐バーの接続点数削減により、分電盤内の温度上昇を抑制している。
【非特許文献１】２００４  カワムラカタログ電設資材編  ＮＯ.３４改訂版  平成１６年４月１日
【発明の開示】
【発明が解決しようとする課題】
【０００３】
しかしながら、上記背景技術において、電流値２５０Ａまでの分電盤は薄板銅バーのみで電流密度を補えるため主幹バーと分岐バーとを一体成形することが可能であるが、電流値の大きな４００Ａクラスの分電盤では、薄板銅バーでは電流密度が補えず、銅バーが厚板になるため、主幹バーと分岐バーとを一体に成形することができなかった。そのため、分電盤の製作及び設置作業に伴う増し締め点数が多く、増し締め作業にかなりの時間を費やし、作業性が悪く、また、分電盤内も主幹バーと分岐バーの接続点数が多くなるため、温度が上昇しがちで、温度上昇を抑制するための方策をとらなくてはならなかった。
【課題を解決するための手段】
【０００４】
本発明は、電流値が大きくても品質向上と製造コスト削減を図ることのできる分電盤の充電部構造を提供することを目的とし、その構造は、主幹銅バーと、主幹銅バーから分岐ブレーカへ接続するための分岐バーとを薄板にて一体成形すると共に、薄板で形成された銅バーに厚板で形成された銅バーを並列接続し、電流値が大きくなっても電流密度を補えることを特徴とする。
【発明の効果】
【０００５】
本発明に係る分電盤の充電部構造は、主幹銅バーと、主幹銅バーから分岐ブレーカへ接続するための分岐バーとを薄板にて一体成形すると共に、薄板で形成された銅バーに厚板で形成された銅バーを並列接続し、電流値が大きくなっても電流密度を補えるため、分電盤の設置作業において、増し締め点数が削減でき、作業性と品質の向上を図ることができる。また、主幹銅バーと分岐銅バーとの接続点数を削減することで、分電盤内の温度上昇を抑えることができる。また、製造コストも削減することができる。
【発明を実施するための最良の形態】
【０００６】
本発明は、４００Ａクラスの電流値の大きな分電盤でも、２５０Ａクラスの分電盤と同様、品質向上、製造コストを削減するという目的を、主幹銅バーと分岐銅バーとを一体成形して実現した。
【実施例１】
【０００７】
本発明に係る分電盤の充電部を図１〜図２の添付図面に基づいて説明する。
【０００８】
分電盤１には、主幹ブレーカ（図示せず）、分岐ブレーカ２等の電気機器が配列される。これら、主幹ブレーカや分岐ブレーカ２は銅バー３で接続され、銅バー３で充電部Ａが形成されている。
【０００９】
従来別部材で構成していた主幹銅バーと分岐銅バーとを薄板で一体に薄板銅バー３を成形する。主幹銅バーと分岐銅バーとが一体成形されることによって、従来主幹銅バーと分岐銅バーとを接続するために行っていたねじ止め点数を削減することができ、分電盤の設置作業において、ねじの増し締め点数が少なくなる。現場での作業を減らすことで、品質を向上させることができると共に、製造費用も抑えることができる。
【００１０】
しかしながら、薄板で銅バー３を形成するため、２５０Ａクラスの分電盤は対応できるが、４００Ａクラスの分電盤では、その銅バー３には高電流を流すことができない。そこで、高電流の流れる従来の主幹銅バーに当たる部分は厚板銅バー４を薄板銅バー３に密着させて並列接続する。そうすることによって、薄板銅バー３と厚板銅バー４とが一体になり、電流密度を補うことができるので、電流が大きくても、小さいときと同様に主幹銅バーと分岐銅バーとを接続するためのねじ止め点数を削減することができ、分電盤の設置作業において、ねじの増し締め点数が少なくなる。現場での作業を減らすことで、品質を向上させることができると共に、製造費用も抑えることができる。
【００１１】
本発明に係る分電盤の充電部構造は、上記実施例に限定されるものではなく、本発明の趣旨を逸脱しない範囲において適宜変更可能である。
【実施例２】
【００１２】
例えば図３に示すように、主幹銅バーと分岐銅バーとを一体成形した銅バー５に、二枚以上の銅バー６を並列接続しても良い。電流密度を満足すれば良いので、薄板を複数枚重ねても良い。
【実施例３】
【００１３】
また、図４に示すように、薄板で成形した主幹銅バー、分岐銅バー一体型銅バー７や、厚板の銅バー８に曲げ加工を施しても良い。
【産業上の利用可能性】
【００１４】
本発明に係る分電盤の充電部構造は、主幹銅バーと分岐銅バーとを一体成形するために薄板を用い、加工しやすくしている。また、薄板では電流密度が満足しないので厚板や薄板を複数枚重ねているため、高電流の分電盤にも適用できる。
【図面の簡単な説明】
【００１５】
【図１】本発明に係る分電盤の充電部を示す正面図である。（実施例１）
【図２】本発明に係る分電盤の充電部を示す側面図である。（実施例１）
【図３】本発明に係る分電盤の充電部を示す側面図である。（実施例２）
【図４】本発明に係る分電盤の充電部を示す側面図である。（実施例３）
【符号の説明】
【００１６】
１      分電盤
２      分岐ブレーカ
３      銅バー
４      厚板銅バー
５      一体成形した銅バー
６      複数枚の銅バー
７      一体型銅バー
８      厚板銅バー
【図１】
2005341662.tif 000003
【図２】
2005341662.tif 000004
【図３】
2005341662.tif 000005
【図４】
2005341662.tif 000006
(57)【要約】【課題】  非常用発電機の自動起動、自動停止機能を確実に適確にし、長寿命を保つことにある、【解決手段】  チエンリレーのチエン効果、オフディレーリレーの特性に、発電機用の蓄電池、それに商用電力を、組み合わせて、自動起動、自動停止させるようにした．【選択図】図１
2005341783.tif 000002
【特許請求の範囲】
【請求項１】
チエンリレー、蓄電池を使用した非常用発電機の自動起動操作とオフディレーリレーを使用した自動停止操作を組み合わせた回路．
【発明の詳細な説明】
【技術分野】
【０００１】非常用発電機の自動制御
【背景技術】
【０００２】実用新案文献１、登金２５９７２０９号
【発明の開示】
【発明が解決しようとする課題】
【０００３】非常用発電機の自動起動、自動停止機能を、確実に、適確に、寿命長くすることである。
【課題を解決するための手段】
【０００４】非常用発電機の起動時、停止時に、手動押釦操作を、特殊リレを使って、自動化した．
停電時には、電源に蓄電池（発電機用の）を用い、チエンリレーのチエン効果で、起動し、
復電時には、商用電源を使って、オフディレーリレーの特性を活用して、停止操作を行った。
【背景技術】
【０００５】従来の製品は、半導体等を使用したもので、真夏の太陽熱等で、劣化を早め、機能を損ね、確実性に劣り、短寿命だった、【０００６】以下に本発明を図面をもとに説明する
１、停電により、停電感知リレーＲ０、ＯＦＦ、その接点Ｎ０−１はｏｎとなって、チエンリレーＣＲがｏｎし、その接点ｃｒのチエン効果によって、数秒後、ｏｎし、更に、その数秒後、ＯＦＦとなる。
ｃｒ、ｏｎの間、起動用伝達リレーＲｕ、ｏｎ、その接点ｒｌ１、ｏｎして、発電機を起動させる、
２、復電により、停電感知リレーＲ０の作動により、オフディレーリレーＯＤ、ＯＦＦとなるが、そのオフディレー効果により、その接点ｃｄは、数秒後に、ｏｎｎし、更に、その数秒後に、ＯＦＦとなる、その接点ｃｄ、ｏｎの間、停止用伝達リレーの接点ｒｌ２、ｏｎして、発電機を停止させるものである。
３、原動機の故障時には、原動機不作動リレーのｂ接点の開により、直流電源を切って、起動させないようにした、
【図面の簡単な説明】
【図１】本発明の回路図である
【図２】本発明のタイムチャートである
【図１】
2005341783.tif 000003
【図２】
2005341783.tif 000004
(57)【要約】【課題】  新規な魚肉加工食品の提供。【解決手段】  ビンナガマグロ生肉塊の塩水浸漬、非加熱乾燥物の少なくとも周縁部に燻煙処理を施してなることを特徴とする生ハム様ビンナガマグロ加工食品およびその製造法。【選択図】なし【特許請求の範囲】
【請求項１】
ビンナガマグロ生肉塊の塩水浸漬、非加熱乾燥物の少なくとも周縁部に燻煙処理を施してなることを特徴とする生ハム様ビンナガマグロ加工食品。
【請求項２】
０〜１５℃で２５〜３５重量％の塩水に浸漬し、０〜２０℃で冷風乾燥したビンナガマグロの肉塊の少なくとも周縁部に０〜４０℃の燻煙で燻煙処理を施してなる請求項１記載の生ハム様ビンナガマグロ加工食品。
【請求項３】
ビンナガマグロの生肉塊を、塩水に浸漬し、非加熱乾燥後、少なくとも肉塊の周縁部に燻煙処理を施すことを特徴とする請求項１記載の生ハム様ビンナガマグロ加工食品の製造法。
【請求項４】
０〜１５℃で１〜２時間、２５〜３５重量％の塩水に浸漬し、０〜２０℃の冷風で１２〜６０時間乾燥し、０〜４０℃の燻煙で２〜９０分間燻煙処理する請求項３記載の製造法。
【発明の詳細な説明】
【技術分野】
【０００１】
本発明は、生ハム様ビンナガマグロ加工食品およびその製造法に関する。
【背景技術】
【０００２】
従来から種々の魚肉加工食品が開発されており、例えば、特許文献１には、魚臭を低減させるために、マグロのような魚肉を、土壌菌を含有する調味液に浸漬し、乾燥後、燻煙処理する魚肉燻製品の製造法が開示されている。また、特許文献２には、マグロを包含する種々の魚介を、燻抹を含む調味料を用いて生ハム様の製品とする製造法が開示されている。さらに、特許文献３には、サケ・マス肉と結着剤を用いて高圧処理する生ハム様の魚肉加工食品の製造法が開示されている。
【特許文献１】特開平１０−２７６６６８号公報
【特許文献２】特開２００２−１２５６２４号公報
【特許文献３】特開２００３−４７４４１号公報
【発明の開示】
【発明が解決しようとする課題】
【０００３】
上記のように、マグロを包含する種々の魚肉を燻製品や生ハム様の加工食品とすることは公知であるが、いずれも本来の生ハムに近似するものとはいいがたい。
本発明の目的は、マグロのなかでも、とりわけ、ビンナガマグロの肉質の特性を利用した、生ハムに非常に近似した外観、風味、食感を有する新規な魚肉加工食品を提供することにある。
【課題を解決するための手段】
【０００４】
本発明者は、マグロ肉を種々取り扱う間に、ホンマグロ、キハダ、メバチ等の他のマグロやカジキの肉質とは異なり、ビンナガマグロの肉質は粘りがあり、豚肉の生ハムの食感に近似していることを見出し、本発明を完成するに至った。
【０００５】
すなわち、本発明は、ビンナガマグロ生肉塊の塩水浸漬、非加熱乾燥物の少なくとも周縁部に燻煙処理を施してなることを特徴とする生ハム様ビンナガマグロ加工食品およびその製造法を提供するものである。
【発明の効果】
【０００６】
本発明によれば、適宜の大きさにカットしたビンナガマグロの生肉塊に均等に塩分を浸透させると、ビンナガマグロの肉塊が生の豚肉と遜色ない状態になり、その肉塊周縁部に燻煙処理を施すことにより生ハムに非常に近似した外観、風味、食感を有する魚肉加工食品が得られる。
【発明を実施するための最良の形態】
【０００７】
本発明で原料とするビンナガマグロは、漁獲後の生のものでも、冷凍したものでもよいが、鮮度の良好なものが望ましい。ビンナガマグロは、内臓、鰓、頭部を除いた魚体を、例えば、四つ割り後、皮を引き、適宜の大きさ、好ましくは２００〜５００ｇ程度、通常３００ｇ程度の大きさの肉塊にカットして使用する。
【０００８】
本発明の生ハム様ビンナガマグロ加工食品は、このようにカットしたビンナガマグロ生肉塊の塩水浸漬、非加熱乾燥物の、少なくとも周縁部に燻煙処理を施したものである。
この塩水浸漬は、２５〜３５重量％、通常３０重量％の濃度の食塩水中に、ビンナガマグロ生肉塊を浸漬することにより行う。
本発明の生ハム様ビンナガマグロ加工食品の製造においては、すべての工程を、肉質が望ましくない変質を起こさない範囲の、かつ氷結晶の生成による肉質の損傷を避けた、できるだけ低温で行うことが好ましく、塩水への浸漬は、０〜１５℃、好ましくは０〜５℃、さらに好ましくは２℃程度の温度で行う。浸漬時間は、肉質に塩水が均等にしみ込む時間でよく、塩濃度、温度、肉塊の大きさにもよるが、３００ｇ程度の肉塊で通常、１〜３時間程度で塩水の均等なしみ込みが達成される。
特に限定するものではないが、浸漬用の塩水を調製する際に、いわゆる機能水を使用すると、より低い塩濃度で浸漬を行うことができ、かつ風味、肉質をより向上させることができる。
【０００９】
浸漬中または浸漬後に、所望により、例えば、香辛料やワイン風味等で、適宜風味付けを行ってもよい。浸漬を終了した肉塊は、十分に水切りし、非加熱乾燥に付す。通常、０〜２０℃、好ましくは０〜２℃の雰囲気で冷風乾燥する。乾燥はビンナガマグロの肉塊全体が、いわゆる生乾きの状態になる程度になるように行えばよく、温度、肉塊の大きさにもよるが、３００ｇ程度の肉塊で通常、１２〜６０時間、好ましくは２４〜４８時間程度で所望の乾燥状態が得られる。
【００１０】
乾燥した肉塊は、真水で洗浄して適宜塩抜きして塩分を調整した後、所望の風味に応じて、少なくともその周縁部に０〜４０℃、好ましくは２〜３℃の燻煙で、２〜９０分間、好ましくは３〜５分間燻煙処理をほどこす。燻煙処理は公知の方法に従って行うことができる。
【００１１】
このようにして得られた本発明の生ハム様ビンナガマグロ加工食品は、冷蔵により約２週間程度保存が可能であり、スライスして通常の生ハムと同様にして食に供することができ、また、各種の調理の素材として使用することもできる。
以下に実施例を挙げて本発明をさらに詳しく説明するが、本発明はこれに限定されるものではない。
【実施例１】
【００１２】
内臓、鰓、頭部を除いた生ビンナガマグロを四つ割りし、皮を引いたのち、約３００ｇの肉塊にカットした。このビンナガマグロの生肉塊を２℃で、３０重量％の食塩水に２時間浸漬した。浸漬終了時に肉塊を浸漬水中で攪拌した後、浸漬水から引き揚げ、十分に水切りした。ついで、２〜３℃の雰囲気下で肉塊を２４時間冷風乾燥した。乾燥後、真水で洗浄した後、水切り後、桜チップの２〜３℃の燻煙で３〜５分間燻煙処理した。燻煙処理後、香り取りの仕上げ処理をし、所望の生ハム様ビンナガマグロ加工食品を得た。
【産業上の利用可能性】
【００１３】
以上記載したごとく、本発明によれば、ビンナガマグロを利用した生ハムに近似した外見、風味、食感を呈する新規な魚肉加工食品を得ることができる。
(57)【要約】【目的】従来は灰皿の中で押しつぶして火を消していた。従って、くすぶりや再度火の付く恐れがあった。それを灰皿の中に設けた密閉式容器の中で完全に消すようにした灰皿。【構成】・密閉式容器には、入り口と出口に各々片開き式フタが付いており、たばこを入れてフタをすると完全に火は消える。・容器には数本のたばこが入り、一杯になれば順次、出口から排出されるため、何十本でも連続投入出来る灰皿。【選択図】図２
2005341945.tif 000002
【特許請求の範囲】
【請求項１】
灰皿に密閉式の消火機能を付けた消火機能付灰皿
【発明の詳細な説明】
【発明の詳細な説明】
この発明は、灰皿の消火機能に関するものである。従来灰皿に消火機能はなく灰皿の中で押しつぶして消していた。これでは急いだ時には完全に消えず、くすぶったり再度火が付く恐れがあった。本発明は、この欠点を除くためになされたもので、それを図面について説明すれば、灰皿の中に設けた密閉式容器（２）の開閉式フタ（３）を開け、火のついたたばこを入れてフタを閉めると火は消える。容器には数本のたばこが入り、一杯になれば出口から順次たばこが出る。出口には自在開閉フタが付いているため、出て来るたばこは完全に火が消えている。またこのような構造なので、何十本でも連続投入でき、容器のフタを閉めた段階で、一切煙は外に出ないというものである。
【図面の簡単な説明】
【図１】本発明の斜視図である。
【図２】本発明の断面図である。
【符号の説明】
１灰皿、２密閉式容器、３開閉式フタ  ４送り金具、５たばこ
【図１】
2005341945.tif 000003
【図２】
2005341945.tif 000004
(57)【要約】【課題】  ねずみ、捕獲等に用いる、今までの装置等の形状では、ねずみが４図屋根付箱型の中に入らなかったり、５図ダンボール製厚板紙のため、設置がしずらいという難点があった。【解決手段】  １図の薄く、柔らかな粘着捕獲シートに（２）切り取り線をつけたことで、２図の形状の変わったところや、３図の狭いところにも切り離して置けて、ねずみを包み取ることである。【選択図】  図１
2005341947.tif 000002
【特許請求の範囲】
【請求項１】
（１）粘着式捕獲シートを薄く、柔らかにすることを特徴とする、ねずみ捕り装置。
【請求項２】
前記（１）粘着式捕獲シートに（２）切り取り線を入れ、設置場所に合わせて、切り離しを可能にしたことを特徴とする、請求項１に記載のねずみ捕り装置。
【発明の詳細な説明】
【技術分野】
【０００１】  この発明は、粘着式ねずみ捕獲の仕組みや形状に関する。
【背景技術】
【０００２】  これまでの、粘着式ねずみ捕り装置は、４図に示すように、屋根つきの箱型や、５図に示すような、ダンボール製厚板紙のものである。
【発明の開示】
【発明が解決しようとする課題】
【０００３】  しかしながら、以上の技術によれば、狭い場所や、形状の変わった場所には置けず、ねずみが４図の屋根上を通過したり、５図のダンボール製厚板紙により油分を含んだねずみの足では通過してしまう。
そこで、この発明は、２図形状の変わった場所や、３図狭い場所にも容易に置ける、粘着式ねずみ捕り装置を提供する事を課題とする。
【課題を解決するための手段】
【０００４】  以上の課題を解決するために、第一発明は、（３）粘着殺虫剤つきＢ５ほどの大きさで（１）薄く、柔らかな捕獲シートであることを特徴とする、粘着式ねずみ捕り装置である。第二発明は、粘着式捕獲シートを設置場所にあわせて切り離して使用できるように、立て、横に複数（２）切り取り線が付いている事を特徴とする、粘着式ねずみ捕り装置である。
【発明の効果】
【０００５】  第一発明により、ねずみ等が少し触れただけでも、捕獲シートが絡み付いて、動けなくする。
第二発明により、狭い通路や設置場所の形状にあわせて容易に置ける。
【発明を実施するための最良の形態】
【０００６】  この発明の一実施形態を、１図に示す。【０００７】「実施形態の効果」
この実施形態によれば、１図（１）（２）の働きで、凹凸や狭さ、障害物などの形状に合わせて設置しやすい。【０００８】「他の実施形態」
１図の実施形態では、粘着殺虫剤付き捕獲シートであるが、他の実施形態では、粘着殺虫剤を、後から捕獲シートに吹き付けたり、塗りつけるものでも良い。
【図面の簡単な説明】
【０００９】
【図１】この発明の一実施形態を示す、捕獲シートの斜視図である。
【図２】この発明の一実施形態を示す、設置例である。
【図３】この発明の一実施形態を示す、設置例である。
【図４】従来技術を示す、屋根つき箱型の斜視図である。
【図５】従来技術を示す、ダンボール製厚板紙の斜視図である。
【符号の説明】
【００１０】（１）捕獲シート本体        （２）切り取り線        （３）粘着殺虫剤
（４）粘着殺虫剤保護フィルム（５）配管
【図１】
2005341947.tif 000003
【図２】
2005341947.tif 000004
【図３】
2005341947.tif 000005
【図４】
2005341947.tif 000006
【図５】
2005341947.tif 000007
(57)【要約】【課題】ドッグフードにおいて、固い糞便が出るようにすることで、糞便量、便臭を低減。【解決手段】１００μｍ以下、好ましくは３０μｍの硬質食物繊維微粉末を、０．５％以上好ましくは、２％以上１０％未満の割合でえさに添加し、または粉末をえさにふりかけて、犬に与える。【特許請求の範囲】
【請求項１】
１００μｍ以下に微粉化された硬質食物繊維によって、生体に固い糞便を排出させ、糞便量、便臭を低減させる、飼料および食品用添加物。
【請求項２】
１００μｍ以下に微粉化された、硬質食物繊維を、飼料および食品に添加することで、硬い糞便を排出させ、糞便量、便臭を低減させる使用方法。
【請求項３】
１００μｍ以下に微粉化された、硬質食物繊維を使用して作られた、ドッグフード、キャットフードなどの飼料やダイエット食品などの製品およびその製造方法。
【発明の詳細な説明】
【技術分野】
【０００１】本発明は、畜産、ペットフード分野における、便量、便臭の低減や、便質の改善などの技術に関する。
【発明の背景】
【０００２】犬やその他雑食獣の糞便は、本来ソフトクリーム位の固さが、健康上最良とされているが、例えばペット用の犬の場合、散歩中、路上に糞便をしてしまった場合等、便がやわらかいと地面に、こびりついてしまい、ふき取りに手間がかかるため、飼い主は、固い便を好む傾向にある。
したがって、便を固めることは、製品の販売上、非常に重要な問題であり、色々な試行錯誤がなされている。
ドッグフードに原料として、麦ふすま、籾殻、牧草など硬質の食物繊維を、一般に飼料用として農協等で販売されている粉末の状態で、すなわち、通常の製粉機や粉砕機で製粉し、添加した場合、犬の便は、軟らかくなる。
人において、便秘対策に食物繊維が使われるのと、同じ原理である。山羊やウサギなどの一部の草食動物は、硬質繊維を常食とするにもかかわらず、摂食量に対して糞便量が少なく、糞便は固い。
このことは、食物繊維の消化に関係し、すなわち、細胞壁を分解できるか否かにかかっていると考え、ならば、機械的に細胞壁を粉砕すれば一部の草食動物のように、便を固く出来るのではと考えた。
本発明者は、硬質繊維を、３０μｍの微粉末にしたものを添加した場合、便が固まり、便量、便臭が低減することを発見し、本発明に至った。
【発明の開示】
【発明が解決しようとする課題】
【０００３】ドッグフードにおいて、固い糞便が出るようにすることで、糞便量、便臭を低減。
【課題を解決するための手段】
【０００４】１００μｍ以下、好ましくは３０μｍの硬質食物繊維微粉末を、原料に添加するか、または粉末をえさにふりかけて、０．５％以上好ましくは、２％以上８％未満の割合で添加し、犬に与える。
【発明の効果】
【０００５】便は、顕著に固まり、便量、便臭ともに低減する。
【発明を実施するための最良の形態】
【０００６】繊維は、非常に微粉末化しづらいので、通常の製粉機では不可能であるため、３０μｍには、ホソカワミクロン（株）製  超微粉砕機パルベライザ−  ＡＣＭ−１０Ａ  、７０μｍには、ＭＥＩＮＯ製高速粉砕機  ＨＳ−１０  等を使い微粉末にする。【０００７】添加量は、質量比０．５％位から効果が出始めるが、２％を超えるあたりから、顕著になる、便を固める機序は、水分、油分、菌類の吸着と考えられ、また、自重の５から１０倍も吸着するので、一定（約１０％）以上の添加では、効果は変わらない。【０００８】栄養分が吸着されることにより、栄養失調を起こす可能性もあるので、ドッグフード自体を、通常より高栄養にする必要がある。
特に油分は、１５％くらいまで増やすことが望ましい。【０００９】小麦等を製粉する通常の粉砕機では、ふすまなどの硬質繊維を、微粉砕できない、通常農協等でふすま粉末として販売されているものがそれであるが、粒子が５００μｍから数ｍｍのものであり、１００μｍ以下の微粉末にするには、高速粉砕機が必要で、さらに３０μｍ以下にするには、上記のパルベライザーような特殊な装置を必要とする。
【実施例】
【００１０】２０頭の犬を対象に飼養テストを行った。
添加材料は、農協で一般に小売されている大麦ふすま粉末を使用し、２００μｍ、１００μｍ、７０μｍ、３０μｍの４種類の粉末に加工した。
犬に与えるドッグフードは、以下の成分と工程でドライフードを作成した。
成分：生肉２８％、魚粉２０％、玄米粉１８％、生魚１０％、蒸しさつまいも１０％、大麦粉５％、コーングルテンミール３％、きな粉３％、ラード３％
工程：生肉、生魚は、ミートチョッパーで粗引きし、上記成分の材料全部と共にミキサーで混合する。
この際、４段階の粉末と売られているままの粉末の、計５種類を添加し、入っていないものとあわせて、６種類を製造した。
造粒するため、再度、ミートチョッパーで２ｍｍ穴、４ｍｍ穴の順に１回ずつ通し、うどん状に出てきたものを、１０５℃で４時間、数回攪拌しながら乾燥することで、乾燥粒（ドライフード）にした。【００１１】１ヶ月間にわたって、各３％を添加した上記ドライフードを与え続けた場合の観察をした。
添加なし、および農協で販売状態の粉を添加したもの、２００μｍ、１００μｍ、７０μｍ、３０μｍを添加の６種類を各２頭で実行。
添加なし、農協で販売状態の粉、２００μｍのグループでは、便の状態に大差はなく、ソフトクリームくらいの固さの便になった。
１００μｍのグループでは、少し水分が減ってボソッとしたような便になり、７０μｍのグループでは、より固くなり、３０μｍのグループでは、床に便の痕がほとんどつかないくらい固まった。添加翌日から変化が見られ、添加中１カ月間ずつと安定した効果が得らた。【００１２】３日間毎に農協で販売状態の粉と３０μｍを３％添加したものとを、交互に与え、様子を観察した。
切り替えの効果は、翌朝には現れ、１カ月間軟硬を３日おきに繰り返した。
１回の便の途中から、固くなったり逆にやわらかくなったりすることから、作用機序は、直接的なものであり、体調をコントロールするものではない。【００１３】３０μｍのものを、０から１０．０％まで０．５％きざみで、２日毎に添加量を上げてゆき、糞便を観察した。
０．５％から効果が出始め、４％まで顕著に固まってゆく、その後８％くらいまで、より固く乾燥した感じにゆっくり変化し９％以上では、ほとんど変化しない。
３％から４％が、実用的な範囲と考えられる。
５頭のイングリッシュコッカーでテストしたが、どの犬も効果は見られたものの、固さや、便の艶など個体差があった為、犬種や元になるフードの種類によっては、添加量を調整する必要がある。【００１４】粉末を犬に、そのまま与えた場合も、原料に添加した場合と全く効果は、変わらない。【００１５】効果は、小麦ふすま、籾殻、牧草、わら、木屑等、雑食獣に消化できない硬質繊維であれば、同様の効果が得られる。【００１６】上記以外でも、猫、ブタ、人においても効果があることを確かめており、他の雑食獣においても転用が可能である。【００１７】油分を吸着するので、人において、ダイエット食品として、使用できる可能性がある。
(57)【要約】【課題】  本発明清涼飲料水は、薬理作用や栄養価が高い健康飲料として提供する。【解決手段】  天然海洋深層水に水溶性蛋白質コラーゲンを１．５ｌ当り０．２ｇ〜１０ｇを融合させた製法にした。さらに中国産田七人参、及びウコン抽出エキスを１．５ｌ当り０．２ｇ〜１０ｇの割合とした。【選択図】      なし【特許請求の範囲】
【請求項１】
海洋深層水は、地下数百ｍ〜無限まで深海より揚水し、殺菌充填する方法が一般的だが、充填前に水溶性蛋白質コラーゲンを融合させた。混合比率は、１．５ｌ当り０．２ｇ〜１０ｇ程度の範囲内とした。
【請求項２】
上記の製法＆融合に対して、さらに中国産田七人参から抽出エキス（１０倍濃縮）を０．５ｇ〜１０ｇを融合したことを特徴とする製法である。
【請求項３】
上記製法に対して、さらにウコン１０倍濃縮液を０．２ｇ〜１０ｇを融合したことを特徴とする製法である。
【発明の詳細な説明】
【技術分野】
【０００１】  天然海洋深層水を水溶性蛋白質コラーゲンに融合させた加工製品。【０００２】  天然海洋深層水は、塩分濃度が一般水との比較で高濃度である。水溶性蛋白質コラーゲンを用いて融合する加工飲料１．５ｌに対して、０．２ｇ〜１０ｇの範囲で融合する事が最も有効である。
【背景の技術】
【０００３】  一般的天然海洋深層水が普及してきたが、塩分濃度が多く独特な味と、むくみの出る人が多く、従来品はその改良が求められていた。
【特許文献１】      ［蛋白質コラーゲンの特性］  人の総蛋白質の１／３はコラーゲンで出来ています。皮膚、骨、爪、髪、血液等の成分のほとんどがコラーゲンであり、細胞と細胞をつなぐ接着剤の役割を果たしています。また、体にとって大切で、大きな働きを持っている。《参考文献》  美肌作用、肌の保湿作用、骨形式促進作用、血圧降下作用、消化管粘膜保護作用、関節対応作用、免疫賦活作用、ガン予防、老化抑制、老化防止、骨・関節の痛み、アレルギー、白髪、抜け毛、薄毛、髪の老化防止  等がある。
【特許文献２】      ［中国産田七人参］  第３０回目日本東洋医学総会で「消化器系ガンを治す」と発表された人参サポニンの効ガン効果は、東京大学、近畿大学、東邦大学などでも証明され、学会発表も数多くなされている。ガンの臨床報告でも、東北大学、東京医科大学、名古屋大学、大阪大学などでも発表されている。《参考文献》  中医学（中国医学）は田七を、「生薬のうちで、治療効果・実用性・将来性のどれをとってもこれを超える研究対象素材はない」としている。また『本草綱目』は、「血液の循環をよくし、痛みと内蔵の出血を止め、老後の出血予防に良い」と、その止血癒合や悪血（血の滞り）の活性化、鎮痛効果を謳っている。  肝臓、心臓、高血圧、各種ガン、とくに心筋梗塞や狭心症など虚血性心疾患に優れた効能を発揮する田七は、中国では「金不換（お金に変えられない尊いもの）」と言われているほど。田七は、世界の医学会、薬学会から注目を集めている。
【特許文献３】      ［解明された琉球ウコン］  肝機能障害、高血圧、高脂血症、胃腸障害、糖尿病、ガン細胞の抑制、成人病の予防に注目され、世界中で愛用されている。
【発明が解決しようとする課題】
【０００４】  この要求に応じて最近は海洋深層水に注目されているが、そのままでは大きく期待するものになっていない。水溶性蛋白質コラーゲンは医薬品にも数多く使用され、薬理作用も大きく、各栄養価にも勝れている事が分かってきた。健康飲料としても有用な製品を提供する事を目的とする。
【課題を解決するための手段】
【０００５】  このような目的を達成するため、海洋深層水に水溶性蛋白質コラーゲン、中国産田七人参、ウコンを融合させる構成としている。そのため薬理作用や栄養価の高い成分との相乗作用が大きい。海洋深層水特有の味が、塩分の感覚が消えまろやかになり、誰でも飲める様になり、しかも、各種の酒飲料に使用して悪酔いしない健康飲料として、機能性を発揮させる事ができた。
【発明を実施するための形態】
形態にかかわる製法飲料、海洋深層水、水溶性蛋白質コラーゲン融合させたものだが、一度融合させると分離する事はない。さらに中国産田七人参抽出濃縮エキス、ウコン抽出濃縮エキスを融合させた。
【実施例】
【０００６】  本発明品を簡単にどこでもできるように、ペットボトル、アルミ缶、スチール缶、紙パック等に充填した。従来品と大きく違い、少量でも充分な機能性効果が著しく大きい。
(57)【要約】【課題】ピザ、サンドイッチに使える薄型で型くずれがしにくい餅を提供する。【解決手段】モチ米約７０％、うるち米約３０％でできている餅を厚さ約５〜７ｍｍ位のピザクラスト形状にしたものを使えば、型くずれがしにくく、固いこげ目があっても、なくても手に持って食べやすい。さらに任意の面積のものを使えばサンドイッチにも応用できる。【選択図】      図１
2005341952.tif 000002
【特許請求の範囲】
【請求項１】
体積比がモチ米約６０〜９０％、うるち米約１０〜４０％使用した餅で、上面・下面どちらか一面を加熱処理することで全体が食するのに適した柔らかさに焼きあがる厚さよりなる薄型加工餅。
【請求項２】
ピザクラスト形状よりなることを特徴とする請求項１記載の薄型加工餅。
【発明の詳細な説明】
【技術分野】
【０００１】  この発明は、従来よりも薄型にし、さらに面積を広げても、型くずれがしにくく、手に持って食べやすい餅食品に関するものである。
【背景技術】
【０００２】  従来のモチ米１００％で成っている餅で薄型のものは型くずれしやすく、手に持って食べるのが大変だった。
【発明の開示】
【発明が解決しようとする課題】
【０００３】  そのために、次のような問題点があった。
（イ）ピザクラスト型にした物をピザ用に焼いた場合、柔かくなりすぎて手で持って食        べるのが困難であった。又は表面が固くなるまで焼かなければならなかった。
（ロ）  表面が柔かいままだと食べられてもハシやフォークを使う必要があった。
本発明は、これらの問題点を解決するためになされたものである。
【課題を解決するための手段】
【０００４】  体積比がモチ米約６０〜９０％、うるち米約１０〜４０％の割合で作成する。厚さとしては約３〜８ｍｍとくに好ましくは５〜７ｍｍ位に均一な厚さとして、任意形状とする。
【発明の効果】
【０００５】  モチ米だけでなく、うるち米も使用していることで型くずれがしにくいので、ピザクラスト型のものでモチを生地にしたピザを作った場合には手に持って食べやすい。その他にも餅のサンドイッチのような手に持つ餅料理には食べやすくなる。
【発明を実施するための最良の形態】
【０００６】  以下、本発明の実施の形態について説明する。
（イ）モチ米を６０〜９０％、うるち米を１０〜４０％の割合で約６時間水にひたす。
（ロ）つけるようになるまでむす。
（ハ）モチとなるまでつく。その際、少々の塩を入れると味がひきたつ。
（ニ）図１のような任意の形・面積の薄型のものを作る。ピザ用ならば面積を大きめにサンド用ならばそれに相応しい面積に。
本発明は以上のような構成で、これを使用するときは、モチを生地にしたピザのような食べ物が手に持って食べやすくなる。
【実施例】
【０００７】  以下、この発明を使用した実施例について説明する。モチ米約７０％、うるち米約３０％のモチを面積１５ｃｍ四方、厚さ６ｍｍ、重さ約１３０ｇ位にしたものを使用した調理実施例である。
（調理実施例）モチクラストピザ
ピザソース約２０ｇ、ピザ用ミックスチーズ約６０ｇ、
本発明の餅にピザソースを塗り、チーズを乗せてオーブン２５０°で約４・５分。
ちなみに電気グリラーを使用する場合、上で約２分、直後下にうつして約２分。
おいしい餅を生地にしたピザができ上がる。さらに型くずれがしにくいので、全体に固くなるこげ目がなくても楽に手に持って食べられる。
ピザ以外にモチサンドのようにして食べた場合、薄くても型くずれがしにくいため、具をはさめて楽に食べることができる。
【図面の簡単な説明】
【０００８】
【図１】  本発明を示す図
【図１】
2005341952.tif 000003
(57)【要約】【課題】  草刈中に刈り刃に弾かれた石等の衝撃を吸収し且つ刈り刃と地面のクリアランスを気にせずに取り付けられる飛散防止カバーを提供したい。【解決手段】  刈り刃の取り付け部分上部のパイプシャフトに金属等の半円状の支持具を取り付けその支持具に布等で筒形状にカバーを取り付けた。【選択図】    図３
2005341951.tif 000002
【特許請求の範囲】
【請求項１】
草刈り機のエンジン回転を伝えるパイプシャフト外部に取り付け、回転刈り刃の上面外周を半円形に覆う支持具に布状のカバーを取り付けた飛散防止カバー。
【発明の詳細な説明】
【発明の詳細な説明】
【０００１】  本発明は、草刈り機の刈り刃上部パイプシャフトに取り付け固定したステー支持具部分に布状のカバーを取り付けた飛散防止カバーである。
【技術分野】
【０００２】  Ａ０１Ｄ  ３４／６８
【背景技術】
【０００３】  従来のカバーは、プラスチック等の固形物体である為、刈り刃に弾かれた石等は更に固形のカバーで弾けるため危険なものであった。又、固形のカバーである為、刈り刃と地面のクリアランスを考慮するとあまり大きくする事も出来ず地面と刈り刃の隙間が出来てしまう不完全なものであった。
【発明が解決しようとする課題】
【０００４】  草刈中に刈り刃に弾かれた石等の衝撃を吸収し且つ刈り刃と地面のクリアランスを気にせずに取り付けられる飛散防止カバーを提供したい。
【課題を解決するための手段】
【０００５】  課題を解決するため、刈り刃の取り付け部分上部のパイプシャフトに金属等の半円状の支持具を取り付けその支持具に布等で筒形状にカバーを取り付けた。
【発明を実施するための最良の形態】
【０００６】  本発明の、カバーの支持具はアルミ等の軽量で丈夫な材料が適していた。又、刈り刃の上面だけでなく側面も覆う刈り刃より少し大きめの半円状の支持具にすることで刈り刃と干渉する事無く安全に作業する事に成功した。又、布カバーは丈夫なデニム生地等が適していた。又、布状のカバーは地面方向に対し少し長めにし底部に錘をつける事で石等の弾けの衝撃によるカバーのめくれも無く効果が得られた。
【発明の効果】
本発明の効果により、従来のカバーよりはるかに飛散防止効果が得られ、より安全に草刈り機による草刈り作業が行えた。
【図面の簡単な説明】
【図１】  本発明の飛散防止カバーの平面図である。
【図２】  本発明の飛散防止カバーの正面図である。
【図３】  本発明を草刈り機に取り付けた状態の正面断面図である。
【符号の説明】
１は本発明のカバー支持具である。
２は本発明を草刈り機に取り付けるための支持具ステー部分である。
３は本発明の布状の筒形状に取り付けられたカバーである。
４は草刈り機のパイプシャフトである。
５は草刈り機の刈り刃部分である。
６は錘である。
【図１】
2005341951.tif 000003
【図２】
2005341951.tif 000004
【図３】
2005341951.tif 000005
(57)【要約】      （修正有）【課題】  街中や道路等にて草刈機を使用して草刈作業する場合に起こる草、石等の飛散で車や、人、建物等に与える事故、損害、汚れの飛散等を防ぐ事のできる簡単、且つ安全に使用できる飛散防止ネットを提供する。【解決手段】  草刈作業時に草刈機を使用し草刈をする人以外が手で持ち草刈機の刈り刃近辺で安全、簡単に飛散防止のサポートができるよう、手で持つ部分１を中折れできる２本の棒状もしくは３本の棒状にし、布もしくはネット２の上部に取り付けた。３は錘である。【選択図】  図１
2005341957.tif 000002
【特許請求の範囲】
【請求項１】
横長方形の布状もしくはネットの上部に中折れでき持つことが出来る支持具部分とネット下部に捲れ防止の錘部が付いた飛散防止ネット。
【発明の詳細な説明】
【発明の詳細な説明】
【０００１】  本発明は、草刈時の飛び石や草などの飛散を防止する為、草刈機を使用する人以外が草刈機の刈り刃付近で草刈作業時の飛散防止に使用する飛散防止ネットである。又、本発明は横長方向の布状、もしくはネットの上部に中折れでき持つ事の出来る支持具部分と下部に捲れ防止、飛散防止の錘部分が付いた手で持ち使用できる飛散防止ネットである。
【技術分野】
【０００２】  ＡＯ１Ｆ１２／００Ｗ
【背景技術】
【０００３】  従来、草刈機を使用しての作業時に起こる刈り刃での石や草等の弾け事故や汚れの飛散防止ができ、草刈機を使用する人以外が作業を安全にサポートできる安全、簡単な飛散防止ネットが無かった。
【発明が解決しようとする課題】
【０００４】  街中や道路等にて草刈機を使用して草刈作業する場合に起こる草、石等の飛散で車や、人、建物等に与える事故、損害、汚れの飛散等を防ぐ事の出きる簡単、且つ安全に使用できる飛散防止ネットを提供したい。
【課題を解決するための手段】
【０００５】  課題を解決するため、草刈作業時に草刈機を使用し草刈をする人以外が手で持ち草刈機の刈り刃近辺で安全、簡単に飛散防止のサポートが出きる、手で持つ部分が中折れ出きる布状もしくはネット状の盾となる飛散防止ネットを考案した。
【発明を実施するための最良の形態】
【０００６】  手で持つ支持具部分を中折れ出きるよう２本の棒状もしくは、３本の棒状にし、この支持具を横長の布状もしくはネットの上部に取り付けた。又、２本３本４本等の連結でも曲げる事ができたり、棒状でなくとも自由に曲げ固定できる素材であればそれでも良い。又、盾になる部分は布状、もしくはネットにすることで使用する人が自由に角度、高さを調整できた。又、布、もしくはネットの下部に分割にされた錘を取り付ける事で自由な角度や、捲れ防止に役立った。又、布、もしくはネットの縦方向に梁柱になる棒状の支持具を取り付ける事でも更なる捲れ防止にもなり最下部にＬ型のステーを取り付ける事で自立型にもでき役立った。又、手でつかむ部分を長くしたり、更なる支持具で離して持てたりしてもよく、下部の錘部分を足で踏み固定できるようにしても効果が得られた。
【発明の効果】
本発明の効果で、草刈機での草刈時に刈り刃での石、草等の弾けによる事件、事故、汚れの飛散防止に大いに役立った。
【図面の簡単な説明】
【図１】  本発明の正面図である。
【図２】  本発明の側面図である。
【図３】  本発明の斜面図である。
【符号の簡単な説明】
１は  本発明を持つための支持具部分である。
２は  本発明の盾になる布もしくはネット部分である。
３は  本発明の錘である。
【図１】
2005341957.tif 000003
【図２】
2005341957.tif 000004
【図３】
2005341957.tif 000005